(57)【要約】【課題】物品の個別確認を乗りかご内で行うことにより、物品を乗りかご内に乗せる前または乗りかご内から下ろしてからの清算作業を軽減することができるエレベータ装置を提供する。【解決手段】エレベータ装置４０は、エレベータ２の乗りかご１０内に設置され、乗りかご１０内に搬入された物品７に添付された電子タグ１５から物品の個別情報を受信する物品個別情報受信手段１７と、物品個別情報受信手段１７により受信された物品の個別情報を処理する情報処理手段３０と、情報処理手段により処理された処理結果を、乗りかご１０内に設置された表示部１９に表示させる情報表示手段３２と、情報処理手段により処理された処理結果を、乗りかご１０内に設置された出力部２０に出力させる情報出力手段３１とを具備する。【選択図】図２
2010030757.tif 000002
【特許請求の範囲】
【請求項１】
エレベータの乗りかご内に設置され、前記乗りかご内に搬入された物品に添付された電子タグから前記物品の個別情報を受信する物品個別情報受信手段と、
前記物品個別情報受信手段により受信された前記物品の個別情報を処理する情報処理手段と、
前記情報処理手段により処理された処理結果を、前記乗りかご内に設置された表示部に表示させる情報表示手段と、
前記情報処理手段により処理された処理結果を、前記乗りかご内に設置された出力部に出力させる情報出力手段と、
を具備したことを特徴とするエレベータ装置。
【請求項２】
前記情報処理手段が、集計開始の指示信号により、前記乗りかご内に搬入された前記物品の個別情報の集計を行うことを特徴とする請求項１に記載のエレベータ装置。
【請求項３】
前記集計開始の指示信号は、前記物品個別情報受信手段により受信されることを特徴とする請求項２に記載のエレベータ装置。
【請求項４】
前記情報処理手段が、前記物品個別情報受信手段により受信された前記物品を積載した物品運搬車に添付された電子タグから得られる運搬車特定情報と、前記物品運搬車に積載された前記物品の個別情報とを関連付けることを特徴とする請求項１〜請求項３のいずれか１つの項に記載のエレベータ装置。
【請求項５】
前記情報処理手段により処理された処理結果を保存する保存手段を備えることを特徴とする請求項４に記載のエレベータ装置。
【請求項６】
前記電子タグの前記物品の個別情報を入力、変更する情報入力変更手段を備えることを特徴とする請求項１〜請求項５のいずれか１つの項に記載のエレベータ装置。
【請求項７】
前記情報処理手段により処理された処理結果を清算する清算手段を備えることを特徴とする請求項６に記載のエレベータ装置。
【請求項８】
前記清算手段は、電子マネーカードであることを特徴とする請求項７に記載のエレベータ装置。
【発明の詳細な説明】
【技術分野】
【０００１】
本発明は、エレベータ装置に関し、特にエレベータの乗りかご内で電子タグを用いて物品の個別情報の処理を行うエレベータ装置に関する。
【背景技術】
【０００２】
物品の個別情報を管理するために、ＩＣ（集積回路）チップとアンテナから構成されている電子タグ（ＩＣタグ、ＲＦ−ＩＤ：Ｒａｄｉｏ  Ｆｒｅｑｕｅｎｃｙ  Ｉｄｅｎｔｉｆｉｃａｔｉｏｎ）の利用が拡大している。
【０００３】
一方、エレベータは、エレベータの利用者（お客）を昇降したり物品の昇降するために利用されている。エレベータの乗りかごに乗った利用者が携帯している電子タグにより、各人の個別情報と位置情報を検出して、特定の利用客に応じたエレベータの管制運転やセキュリティ運転を行うことが提案されている。
【特許文献１】特開２００５―１９２０３０号公報
【発明の開示】
【発明が解決しようとする課題】
【０００４】
しかし、特許文献１に開示された技術では、物品を販売する販売店においてエレベータを利用する利用者は、乗りかご内に購入しようとする物品を乗せて昇降するだけである。このため、例えば購入しようとする物品を乗りかご内に搬入してこれらの物品の個別情報を確認する作業は、物品を乗りかご内に乗せる前に店側の清算係の店員が行ったり、乗りかごから外に下ろしてから店側の清算係の店員が行う必要がある。
【０００５】
従って、店舗の店員による物品の清算作業が生じ、利用者にとっては購入しようとする物品の清算をするために待ち時間が生じてしまう。
【０００６】
本発明は上記課題を解決するためになされたものであり、本発明の目的は、物品の個別確認を乗りかご内で行うことにより、物品を乗りかご内に乗せる前または乗りかご内から下ろしてからの清算作業を軽減することができるエレベータ装置を提供することができる。
【課題を解決するための手段】
【０００７】
本発明のエレベータ装置は、エレベータの乗りかご内に設置され、前記乗りかご内に搬入された物品に添付された電子タグから前記物品の個別情報を受信する物品個別情報受信手段と、前記物品個別情報受信手段により受信された前記物品の個別情報を処理する情報処理手段と、前記情報処理手段により処理された処理結果を、前記乗りかご内に設置された表示部に表示させる情報表示手段と、前記情報処理手段により処理された処理結果を、前記乗りかご内に設置された出力部に出力させる情報出力手段と、を具備したことを特徴とする。
【発明の効果】
【０００８】
本発明によれば、物品の個別確認を乗りかご内で行うことにより、物品を乗りかご内に乗せる前または乗りかご内から下ろしてからの清算作業を軽減することができるエレベータ装置を提供することができる。
【発明を実施するための最良の形態】
【０００９】
以下、本発明の実施の形態について図面を参照して詳細に説明する。
【００１０】
（第１の実施の形態）
図１は、本発明のエレベータ装置の好ましい実施形態が設置されているショッピングセンターの店舗構成例を示す全体図である。
【００１１】
図１では、エレベータ装置がショッピングセンター１に適用されており、利用者が電子タグ（以下、ＩＣタグという。）付きの商品（物品の一例）をエレベータの乗りかご１０内に載せることで、商品の個別情報（個別データ情報）の確認（ＩＣタグタグの情報処理）を可能としている。これにより、利用者５がエレベータ２を用いて目的階に移動する間に、商品を購入する際の清算作業が行え、店舗の店員のレジスタ作業や、利用者５の支払い作業等を簡略化することができるようになっている。
【００１２】
図１に示すように、ショッピングセンター１は、例えば１階床Ｆ１、２階床Ｆ２、３階床Ｆ３を有する３階建てであり、エレベータ２が１階床Ｆ１から３階床Ｆ３にわたって設置されている。１階床Ｆ１から３階床Ｆ３の各乗り場には、乗り場ドア３Ａ，３Ｂ，３Ｃと、乗り場ボタン３Ｄ、３Ｅ，３Ｆが設けられている。傾斜 式オートロード４が、１階床Ｆ１から３階床Ｆ３にわたって設置されており、このオートロード４はエレベータ２とは別の昇降機設備である。利用者５は、ショッピングセンター１の入口Ｗから入って、エレベータ２またはオートロード４を利用して１階床Ｆ１、２階床Ｆ２、３階床Ｆ３に自由に移動でき、買い物が終了すると、ショッピングセンター１の出口Ｖから外に出ることができる。
【００１３】
図１において、６はショッピングカートを示し、７は商品を示し、８は店舗の清算所を示しており、清算所８には清算器（レジスタ）８Ｒが置かれている。そして９はレジ係の店員を示している。清算所８の清算器８Ｒは、１階床Ｆ１のエレベータの乗り場と出口Ｖの間に配置されている。
【００１４】
図２は、図１に示すショッピングセンター１の２のエレベータ２の乗りかご１０の構成例を示している。
【００１５】
図２において、乗りかご１０の内部には、エレベータ操作盤１１が設けられており、エレベータ操作盤１１には、乗りかご内の表示灯（階床表示灯、方向灯）１２と、戸開閉ボタン１３と、行き先階ボタン１４と、商品の個別情報の集計開始の指示信号を発生させる開始手段としての開始ボタン１８と、表示部としてのモニタ１９と、出力部としてのプリンタ２０と、電子マネーカード読取器２１Ａを備える。
【００１６】
図２に示す利用者５が、開始ボタン１８を指で押すことにより、購入しようとする商品を清算する際の集計開始の指示信号を発生することができ、集計開始の指示信号は、物品個別情報受信手段であるアンテナ１７により受信されるようになっている。これにより、利用者５は、利用者が清算したいタイミングで開始ボタン１８を押すことで、購入しようとする商品を清算する作業を開始させることができる。
【００１７】
表示部１９は、情報処理手段により処理された購入しようとする商品７の集計処理結果を、乗りかご２内において利用者５に対して表示する情報表示手段であり、例えば図２の例では５００円のコーヒー１個を表示している。
【００１８】
プリンタ２０は、情報処理手段により処理された購入しようとする商品７の集計処理結果を、乗りかご２内において利用者５に対して外部出力させる情報出力手段であり、出力用紙２０Ａに印刷して出力できる。
【００１９】
また、利用者５が電子マネーカード（ＩＣカード）２１を用いて電子決済により、購入しようとする商品を清算する場合には、電子マネーカード読取器（ＩＣカード読取器）２１Ａは、利用者５が所持している電子マネーカード２１を近づけることで、電子マネーカード２１の情報を受信して読み取る。
【００２０】
図２に示す例では、乗りかご２内に利用者５とショッピングカート６が収容され、検知対象である複数の商品７Ａ，７Ｂ，７Ｃがショッピングカート６に載せられている。検知対象である商品７Ａ，７Ｂ，７Ｃには、それぞれＩＣタグ１５が添付されており、各ＩＣタグ１５は各商品の個別情報を記憶している。また、ショッピングカート６には、別のＩＣタグ１６が添付されており、ＩＣタグ１６は、例えばこのショッピングカート６を利用する利用者情報を記憶している。
【００２１】
図２に示すように、乗りかご２の内部の天井には、アンテナ１７が設置されており、アンテナ１７は、走査範囲１７Ｂ内で乗りかご２内の空間を走査することにより、検知対象である商品７Ａ，７Ｂ，７Ｃの各ＩＣタグ（ＩＣタグ）１５からの個別情報の信号を受信し、ショッピングカート６の添付されているＩＣタグ１６からの個別情報の信号を受信することができる。
【００２２】
次に、図３を参照して、エレベータ装置４０の構成例を説明する。
【００２３】
図３に示すように、エレベータ装置４０は、エレベータ制御装置ともいい、ＩＣタグの情報処理の開始ボタン（ＩＣタグの情報処理の開始手段の一例）１８と、ＩＣタグの受信（検知）用のアンテナ１７と、電子マネーカード読取器２１Ａと、プリンタ２０と、モニタ１９と、ＩＣタグ情報処理部５０と、電子マネーカード決済器（ＩＣカード決済器）３９と、ＩＣタグの処理情報データベース５１と、レジスタ（積算器）８を備える。
【００２４】
図３と図２に示すように、ＩＣタグの情報処理の開始ボタン１８と、ＩＣタグの受信用のアンテナ１７と、電子マネーカード読取器２１Ａと、プリンタ２０と、モニタ１９は、エレベータの乗りかご１０内に配置されている。
【００２５】
図２に示すように、アンテナ１７は、エレベータの乗りかご１０内に設置されており、図２に例示する乗りかご１０内に搬入された商品７に添付されたＩＣタグ１５の個別情報とショッピングカート６に添付されたＩＣタグ１６の個別情報から商品の個別情報とショッピングカート６の個別情報を受信する物品個別情報受信手段である。
【００２６】
図３に示すように、ＩＣタグ情報処理部５０は、ＩＣタグ情報集計部３０と、集計結果の印字出力部３１と、集計結果の表示出力部３２と、集計結果の外部処理出力部３３と、集計結果の保存情報出力部３４とを備える。ＩＣタグ情報集計部３０は、集計結果の印字出力部３１と、集計結果の表示出力部３２と、集計結果の外部処理出力部３３と、集計結果の保存情報出力部３４に対して電気的に接続されており、集計したＩＣタグ情報を各要素に供給する。
【００２７】
図３の集計結果の印字出力部３１が、出力部としてのプリンタ２０にＩＣタグ１５，１６の各個別情報を与えることで、商品７の集計したＩＣタグ１５の個別情報および/またはショッピングカート６の集計したＩＣタグ１６の個別情報を印刷できる。集計結果の表示出力部３２は、表示部としてのモニタ１９に対してＩＣタグ１５，１６の各個別情報を与えることで、集計したＩＣタグ１５，１６の各個別情報を表示できる。集計結果の外部処理出力部３３は、電子マネーカード決済器３９に対してＩＣタグ１５，１６の各個別情報を与えることで、利用者５は購入しようとする商品の電子決済できる。
【００２８】
図３の集計結果の保存情報出力部３４は、ＩＣタグの処理情報データベース５１に対して集計したＩＣタグ１５，１６の各個別情報を与えることで集計したＩＣタグ１５，１６の各個別情報を保存できる。このＩＣタグの処理情報データベース５１は、例えば図１に示すショッピングセンター１の清算所８に設けられている。なお、ＩＣタグ情報処理部５０は、レジスタ８Ｒに対して集計したＩＣタグ１５，１６の各個別情報を与えることができ、店員９がレジスタ８Ｒを用いて積算することもできる。
【００２９】
ところで、図３に示すＩＣタグ情報処理部５０のＩＣタグ情報集計部３０は、アンテナ１７（物品個別情報受信手段）により受信された物品の個別情報を処理する情報処理手段である。
【００３０】
また、図３の集計結果の表示出力部３２は、ＩＣタグ情報集計部３０（情報処理手段）により処理された処理結果を、乗りかご１０内に設置された表示部であるモニタ１９に表示させる情報表示手段である。
【００３１】
さらに、図３の集計結果の印字出力部３１は、ＩＣタグ情報集計部３０（情報処理手段）により処理された処理結果を、乗りかご１０内に設置された出力部であるプリンタ１９に出力させる情報出力手段である。
【００３２】
なお、図１に示すように、例えば清算所８の付近には、ＩＣタグ１５の物品の個別情報を入力および/または変更するための情報入力変更手段６６を備えている。これにより、店員９は、必要に応じて、ＩＣタグ１５の物品の個別情報の入力あるいは変更を行うことができる。
【００３３】
次に、図４を参照しながら、利用者５がショッピングセンター１において、物品である商品７を購入する際に、図３のエレベータ装置４０が動作する例を説明する。
【００３４】
図４は、ショッピングセンター１におけるエレベータ装置４０の運用例を示しており、ステップＳ１０１〜ステップＳ１１９を有する。
【００３５】
図４のステップＳ１０１では、図１に示す利用者５がショッピングセンター１の店舗内に入店して買い物を開始する。店舗内の１階床Ｆ１、２階床Ｆ２、３階床Ｆ３には、商品７が陳列されており、各商品７には物品の個別情報（例えば、商品名や金額等の項目）が予め入力されたＩＣタグ１５が添付されている。
【００３６】
ステップＳ１０２では、利用者５は購入しようとする例えば図２に示す商品７Ａ，７Ｂ，７Ｃを選びながらショッピングセンター１内を回り、図２に示すように、利用者５が購入しようとする商品７Ａ，７Ｂ，７Ｃをショッピングカート６に入れる。なお、利用者５が各階床を移動する際には、エレベータ２とは別の昇降設備である傾斜式オートロード４を利用すると便利である。
【００３７】
ステップＳ１０３では、利用者５が購入しようとする商品７Ａ，７Ｂ，７Ｃを選び終えて買い物が終了し、利用者５が例えば図１に示す３階床Ｆ３に居たとすると、ステップＳ１０４において、エレベータ乗り場で図１に示す乗り場ボタン３Ｆを押して、エレベータの乗りかご１０の到着を待つ。
【００３８】
ステップＳ１０５では、エレベータの乗りかご１０が３階床Ｆ３に到着すると、利用者５は、商品７Ａ，７Ｂ，７Ｃを載せたショッピングカート６とともに一緒にエレベータ２の乗りかご１０内に乗り込む。
【００３９】
この後のステップＳ１０６〜ステップＳ１１１は、エレベータの乗りかご１０内での動作であり、ステップＳ１０６では、利用者５は図２に示す乗りかご１０内の行き先階ボタン１４の１階床Ｆ１を押すことで積算階を指定する。しかも、利用者５は乗りかご１０内の積算処理の開始ボタン１８を押す。
【００４０】
ステップＳ１０７では、図２に示すように乗りかご１０内のアンテナ１７が走査して、ショッピングカートに載せた商品７Ａ，７Ｂ，７ＣのＩＣタグ１５の商品の個別情報と、ショッピングカート６のＩＣタグ１６の個別情報を受信（検知）する。
【００４１】
受信した商品７Ａ，７Ｂ，７ＣのＩＣタグ１５の商品の個別情報と、ショッピングカート６のＩＣタグ１６の個別情報は、図３に示すＩＣタグ情報処理部５０のＩＣタグ情報集計部３０に送られる。商品７Ａ，７Ｂ，７ＣのＩＣタグ１５の商品の個別情報としては、商品の名称、金額、個数、合計金額などであり、図３に示すＩＣタグ情報処理部５０のＩＣタグ情報集計部３０が情報処理（集計処理）を行う。
【００４２】
ステップＳ１０８では、図３に示すＩＣタグ情報処理部５０のＩＣタグ情報集計部３０商品７Ａ，７Ｂ，７ＣのＩＣタグ１５の商品の個別情報を集計処理して正常に終了すると、ステップＳ１０９では、図３の集計結果の表示出力部３２が、乗りかご１０内のモニタ１９において、集計処理した商品７Ａ，７Ｂ，７Ｃの金額を表示する。
【００４３】
ステップＳ１１０では、図２に示す利用者５が、電子マネーカード２１を利用して電子清算する場合には、ステップＳ１１６に移り、利用者５が電子マネーカード２１を乗りかご１０内の電子マネーカード読取器２１Ａにタッチすることで清算が完了する。ステップＳ１１７では、図３に示す集計結果の印字出力部３１が発券機であるプリンタ２０に清算情報を送ることで、プリンタ２０は商品の領収書を出力用紙２０Ａに印刷して発行するので、利用者５はこの出力用紙２０Ａを受け取る。
【００４４】
ステップＳ１１８では、図１のエレベータの乗りかご１０が清算階である１階床Ｆ１に到着して、利用者５はショッピングカート６とともに乗りかご１０から降りる。ステップＳ１１９では、利用者５は図１に示す清算所の清算器８へ行って清算係９に商品の領収書を渡し、ステップＳ１１５において利用者５は店内から出て買い物が終了する。
【００４５】
一方、ステップＳ１１０に戻って、図２の利用者５が電子マネーカードを利用しない場合には、図３に示す集計結果の印字出力部３１が発券機であるプリンタ２０に清算情報を送ることで、プリンタ２０は商品の明細書を出力用紙２０Ａに印刷して発行するので、利用者５はこの出力用紙２０Ａを受け取る。
【００４６】
ステップＳ１１２では、図１のエレベータの乗りかご１０が清算階である１階床Ｆ１に到着して、利用者５はショッピングカート６とともに乗りかご１０から降りる。ステップＳ１１３では、利用者５は図１に示す清算所の清算器８へ行って清算係９に商品の明細書を渡す。さらに、ステップＳ１１４では、利用者５は店員９から提示される金額を支払い、ステップＳ１１５において利用者５は店内から出て買い物が終了する。
【００４７】
以上説明したように、図３に示すエレベータ装置４０を利用することにより、利用者５は、商品を購入する際の清算作業（レジ作業）を簡略化することができる。しかも、本発明の実施形態の最大の特徴としては、図１に示す利用者５がエレベータの乗りかご１０を使って目的階に移動する間に、利用者５が自ら操作する必要がなく、また店員（レジ係）９も清算所８のレジスタ８Ｒの作業をする必要がなく、利用者５が購入しようとする商品の合計金額を出して、モニタ１９に表示し、プリンタ２０により出力用紙に印刷できる。
【００４８】
図３に示すように、集計結果の保存情報出力部３４は、ＩＣタグの処理情報データベース５１に対して集計したＩＣタグの個別情報を与えることで、ＩＣタグの処理情報データベース５１には集計したＩＣタグの個別情報を保存できる。これにより、集計したＩＣタグの個別情報を保存することで、商品管理や売り上げの管理等ができる。
【００４９】
図１に示すように、ＩＣタグ１５の商品の個別情報を入力、または変更する情報入力変更手段６６を備えることにより、入荷した商品へＩＣタグ１５を付けたり、または例えば金額の変更等の情報の変更がＩＣタグ１５に対して行える。
【００５０】
図２に示すように、利用者５が、商品Ａ，７Ｂ，７Ｃをショッピングカート６に入れて乗りかご１０内に持ち込んだ際に、利用者５が乗りかご１０内のＩＣタグの情報処理の開始ボタン１８を押すことで、アンテナ１７が商品Ａ，７Ｂ，７ＣのＩＣタグ１５を検知する動作または情報処理（集計処理）を開始することができる。これにより、利用者５は商品Ａ，７Ｂ，７Ｃの情報処理（集計処理）を任意のタイミングで自由に行うことができる。なお、利用者５が移動手段としてのみエレベータ２を利用する場合等では、情報処理（集計処理）をしないこともできる。
【００５１】
図２に示すように、乗りかご１０内に設置された表示部としてのモニタ１９は、商品Ａ，７Ｂ，７Ｃの商品名称、金額、個数、合計金額等の処理情報（集計結果）を表示することができる。これにより、利用者５自らも商品Ａ，７Ｂ，７Ｃの商品名称、金額、個数、合計金額（購入金額）等を、モニタ１９を通じて目視で確認することができる。また、図１に示す店員９も、清算所（レジスタ）にある処理情報をモニタによって確認することができる。
【００５２】
図２に示すように、利用者５が商品Ａ，７Ｂ，７Ｃの清算（支払）をするために電子マネーカード読取器２１Ａが乗りかご１０内に配置されている。これにより、利用者５は自ら支払作業をするための手段である電子マネーカード読取器２１Ａによって、店員９による清算所（レジスター）８Ｒでの作業が必要でなくなる。図２に示すように、利用者５が電子マネーカード（ＩＣカード等）２１を使用することにより、利用者５は乗りかご１０内の電子マネーカード読取器２１Ａにタッチ動作をするのみで清算作業を完了でき、利用者５は商品を購入するために清算所８に並ぶ必要がなくなる。
【００５３】
図２に示すように、利用者５が購入する商品Ａ，７Ｂ，７Ｃの商品名称、金額、個数、合計金額（購入金額）等を出力する手段としてのプリンタ２０が乗りかご１０内に設置されている。これにより、利用者５は自ら商品Ａ，７Ｂ，７Ｃの商品名称、金額、個数、合計金額（購入金額）等を確認して手元に保存することができる。プリンタ２０で印刷された出力用紙２０Ａは、商品を購入する際に、清算所８での番号札としても活用することができる。支払い済みの場合は、この出力用紙２０Ａをレシート（領収書）等としても活用することができる。
【００５４】
図２に示すように、利用者５が商品を運ぶための各ショッピングカート６には、ＩＣタグ１６が添付されている。これにより、利用者５（ショッピングカート６）と購入しようとする商品Ａ，７Ｂ，７Ｃを一くくりして（セットとして）判定することができる。商品を購入する際に、店員９は清算所８での作業が効率化することができる。すなわち、ショッピングセンターでは、複数の利用者（購入者）が乗りかご内に同時に乗り込むことが予想され、この場合には各利用者がそれぞれショッピングカートに購入しようとする商品を載せているために、各ショッピングカートと商品の関連付けを行う必要がある。上述したように、各ショッピングカート６には、ＩＣタグ１６が添付されているので、ショッピングカート６のＩＣタグ１６の個別情報と、商品のＩＣタグ１５の個別情報との関連付けを行える。このように、情報処理手段であるＩＣタグ情報処理部５０が、アンテナ１７により受信されたショッピングカート６のＩＣタグ１５から得られる運搬車特定情報と、ショッピングカート６に積載された商品７の個別情報とを関連付けることができる。
【００５５】
また、各ショッピングカートに対して個別番号をあらかじめ付与しておいて、この個別番号と商品のＩＣタグ１５の個別情報とを関連付けすることもできる。この場合には、乗りかご内には、ショッピングカートの個別番号を入力するための入力部を設ける必要がある。
【００５６】
また、アンテナ１７は、エレベータの乗りかご内に載っているショッピングカートのＩＣタグ１６からの個別情報により、ショッピングカートの台数を検知することができるので、乗りかご内の積載荷重が満員にまでなくても、もうこれ以上のショッピングカートを乗りかごの床面積の大きさから載せることができない場合は、乗る場呼びに応答せずに、乗りかごを通過させるようなエレベータ運転の運用もできる。すなわち、物品運搬車であるショッピングカートには、ＩＣタグが添付されており、アンテナはこのショッピングカートのＩＣタグからショッピングカートの個別情報を読み取り、乗りかご内に搭乗しているショッピングカートの台数を確認して、乗りかご内の残余のスペースを判断して、他のショッピングカートが搭乗不可能な場合には、呼び出し階であっても乗り場の開閉ドアを開放しない。
【００５７】
上述したエレベータ装置では、エレベータの乗りかごは、物品を載せて昇降する手段として用いられるだけではなく、エレベータの乗りかごに載せた物品の個別情報の確認を同時に行うことができる。
【００５８】
また、乗りかごが目的階へ移動する時間中に、すなわち乗りかご内に物品を載せている間に、物品の個別情報の確認を完了することができるので、後の段階で個別情報の確認をする場合に比べて時間の短縮が図れる。さらに、利用者は、清算所に並ぶことなく清算(支払い)を完了できるので、待ち時間の短縮が図れる。ショッピングセンターのような店側については、店員(レジ係)の人数を削減できる。
【００５９】
物品を運搬する動線として、必ずエレベータの乗りかごを使うことになるので、物品の管理が容易になり、盗難、万引き等の被害が受けにくくなる。
【００６０】
本発明の実施形態のエレベータ装置は、利用者が陳列されている商品を選びながら店舗内を回って最後に乗りかごを利用して清算階に移動して、集中して一か所にある清算所(レジスター)へ並んで清算（支払い）を済ませるような形態を採用している店舗に適している。例えばこのような店舗は、大型のショッピングセンター等である。
【００６１】
エレベータ装置がショッピングセンターに適用される場合には、物品は商品であり、ＩＣタグ１５を用いることにより、乗りかご内において自動清算処理機能を果たすことができる。このように乗りかご内において自動清算処理を行うために、ＩＣタグ１５に記憶されている商品の個別情報は、例えば商品の購入日付、購入品目、個別個数、個別金額、合計金額等である。
【００６２】
商品の個別情報を受信する物品個別情報受信手段としてのアンテナと、商品の個別情報を表示する情報表示手段としてのモニタと、商品の個別情報を印刷する情報出力手段としてのプリンタは、乗りかご内に設置する。しかし、商品の個別情報を集計する情報集計部は、アンテナからの商品の個別情報を受信する管理部（例えばＩＣタグの商品の個別情報を管理するサーバー等）にあれば、直接の乗りかご内に設ける必要はない。乗りかご内では、購入者には購入情報を与えれば良く、従って乗りかご内には物品個別情報受信手段と情報表示手段と情報出力手段が設けられておれば良い。
【００６３】
ＩＣタグの情報処理の開始ボタン１８が乗りかご１０内に設けられている。この開始ボタン１８が設けられるのは、次に理由からである。乗りかご１０内には複数の利用者５が乗り込むことが予想されるので、各利用者５がそれぞれ別個にアンテナ１７で受信された個別情報の集計開始をする手段が必要である。この開始ボタン１８は乗りかご１０内に無ければならないが、例えば乗りかご１０内のショッピングカートの個別番号が入力できる入力部を設けて、この入力部からショッピングカートの個別番号を入力することにより開始ボタンとすることもできる。
【００６４】
（第２の実施の形態）
次に、図５と図６を参照して、本発明における第２の実施の形態について説明する。
【００６５】
図５は、本発明の第２の実施の形態における別の運用例を示しており、ステップＳ１２１〜ステップＳ１３４を有する。図５に示すような運用では、倉庫や工場における物品の出荷等の物品管理が適用できる。図６は、図５に示す物品の出荷を行う倉庫（工場）の例を示している。
【００６６】
図５のステップＳ１２１では、図６に示す倉庫（もしくは工場）２０１の２階床Ｆ２２に配置されている物品２０７について出荷の指示を受けると、ステップＳ１２２では、作業者２０５は出荷しようとする物品２０７を選んで、物品運搬車の一例である台車２０６に載せる。ステップＳ１２３では、物品２０７の積載が終了すると、ステップＳ１２４では、作業者２０５がエレベータの乗り場で呼びボタンを押して、エレベータの乗りかご２１０の到着を待つ。
【００６７】
ステップＳ１２５では、エレベータ２０２の乗りかご２１０が２階床Ｆ２２に到着すると、作業者２０５が台車２０６と一緒に乗りかご２１０内に乗り込む。ステップＳ１２６〜ステップＳ１３２までは、乗りかご２１０内の操作である。ステップＳ１２６では、作業者２０５は荷捌きの階床ボタン２１４および集計（積算）の開始ボタン２１８を押す。
【００６８】
ステップＳ１２７では、乗りかご２１０内のアンテナ２１７が走査して物品２０７のＩＣタグ２１５の個別情報を受信（検知）して、ステップＳ１２８では、物品２０７のＩＣタグ情報の処理（集計）が正常に終了する。ステップＳ１２９では、乗りかご内のモニタ２１９に物品２０７の出荷情報を表示し、物品２０７の出荷情報がＩＣタグ処理情報データベースに保存される。
【００６９】
ステップＳ１３１では、発券機であるプリンタ２２０により物品の明細書が発行されるので、作業者２０７はこの明細書を取る。ステップＳ１３２では、エレベータの乗りかご２１０が荷捌き階である１階床Ｆ２１に到着すると、作業者２０５は台車２０６とともに乗りかご２１０内から降りる。ステップＳ１３３では、作業者２０５は台車２０６を荷捌き場へ移動させて台車２０６上の物品２０７をトラックに積載する。ステップＳ１３４では、物品を載せたトラックが倉庫（もしくは工場）２０１を出る。
【００７０】
上述したように、図５では、ある倉庫から物品を外部に出荷するときに、エレベータの乗りかご内に物品を載せて、物品が搬出階へ移動する間に、物品の搬出管理（在庫管理）ができる。この場合の特徴としては、エレベータの乗りかご内を使って搬出階に移動することで、ゲートの代用としての運用もできる。また、搬入階から物品をエレベータの乗りかご内に載せて、入荷する場合でも、出荷する場合の出荷管理と同様に入荷管理ができる。
【００７１】
上述のように、物品が倉庫もしくは工場である場合に、物品は荷物であり、この荷物の倉庫からの入出庫管理と搬送階管理を行うために、ＩＣタグに記憶されている物品の個別情報は、例えば荷物の内容、生産者、搬入日、搬出予定日、搬入階、配送先等である。
【００７２】
荷物のＩＣタグの情報処理の開始ボタンが乗りかご内に設けられている。この開始ボタンが設けられるのは、次に理由からである。すなわち、乗りかご内には複数の作業者が乗り込むことが予想されるので、アンテナで受信された個別情報の集計開始をする手段が必要である。この開始ボタンは乗りかご内に無ければならないが、例えば乗りかご内の台車の個別番号が入力できる入力部を設けて、この入力部から台車の個別番号を入力することにより開始ボタンとすることもできる。
【００７３】
本発明のエレベータ装置は、エレベータの乗りかご内に設置され、乗りかご内に搬入された物品に添付された電子タグから物品の個別情報を受信する物品個別情報受信手段と、物品個別情報受信手段により受信された物品の個別情報を処理する情報処理手段と、情報処理手段により処理された処理結果を、乗りかご内に設置された表示部に表示させる情報表示手段と、情報処理手段により処理された処理結果を、乗りかご内に設置された出力部に出力させる情報出力手段と、を具備している。これにより、物品の個別確認を乗りかご内で行うことにより、物品を乗りかご内に乗せる前または乗りかご内から下ろしてからの清算作業を軽減することができる。
【００７４】
情報処理手段が、集計開始の指示信号により、乗りかご内に搬入された物品の個別情報の集計を行う。これにより、利用者や作業者が自由に物品の個別情報の集計を開始でき、利用者や作業者が単に乗りかごを移動手段として用いる場合には集計をしないようにすることができる。
【００７５】
集計開始の指示信号は、物品個別情報受信手段により受信される。これにより、物品個別情報受信手段以外に、指示信号を受信するための受信手段を設ける必要がないので、構造を簡単化できる。
【００７６】
情報処理手段が、物品個別情報受信手段により受信された物品を積載した物品運搬車に添付された電子タグから得られる運搬車特定情報と、物品運搬車に積載された物品の個別情報とを関連付ける。これにより、物品と物品搬送車の関連付けを確実におこなうことができる。
【００７７】
情報処理手段により処理された処理結果を保存する保存手段を備える。これにより、処理結果は保存でき、物品の管理や売上の管理等が行える。
【００７８】
電子タグの物品の個別情報を入力、変更する情報入力変更手段を備える。これにより、必要に応じて物品の個別情報を新たに入れたり、変更できる。
【００７９】
情報処理手段により処理された処理結果を清算する清算手段を備え、清算手段は、電子マネーカードである。これにより、利用者は清算所に並ぶ必要がなくなる。
【００８０】
なお、この発明は、上記実施の形態そのままに限定されるものではなく、実施段階ではその要旨を逸脱しない範囲で構成要素を変形して具体化できる。
【００８１】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００８２】
【図１】本発明のエレベータ装置の好ましい実施形態が設置されているショッピングセンターの店舗構成例を示す全体図である。
【図２】図１に示すショッピングセンターのエレベータの乗りかごの構成例を示す図である。
【図３】エレベータ装置の構成例を示す図である。
【図４】ショッピングセンターにおけるエレベータ装置の運用例を示すフロー図である。
【図５】本発明の別の運用例を示すフロー図である。
【図６】図５に示す物品の出荷を行う倉庫（工場）の例を示す図である。
【符号の説明】
【００８３】
１        ショッピングセンター
２        エレベータ
５        利用者
６        ショッピングカート（物品運搬車の一例）
７        商品（物品の一例）
１０      乗りかご
１５，１６      ＩＣタグ（電子タグ）
１７      アンテナ（物品個別情報受信手段）
１８      開始ボタン（ＩＣタグの情報処理の開始手段の一例）
１９      モニタ（表示部）
２０      プリンタ（出力部）
２１      電子マネーカード（清算手段）
２１Ａ    電子マネーカード読取器
３０      ＩＣタグ情報（情報処理手段）
３１      集計結果の印字出力部（情報出力手段）
３２      集計結果の表示出力部（情報表示手段）
４０      エレベータ装置
５０      ＩＣタグ情報処理部
５１      ＩＣタグ処理情報データベース（保存手段）
６６      情報入力変更手段
【図１】
2010030757.tif 000003
【図２】
2010030757.tif 000004
【図３】
2010030757.tif 000005
【図４】
2010030757.tif 000006
【図５】
2010030757.tif 000007
【図６】
2010030757.tif 000008